(57)【要約】【課題】使用感に頼りなさを感じることがなく、インテリアとしても使用することができたり、演出効果を発揮させる装置としても使用することができるミスト噴霧装置を提供する。【解決手段】ミストノズル１から噴霧されるミストに、ＬＥＤライト２を照射するように構成しており、本体３の前面に形成した開口の中央に前記ミストノズル１を前方に向けて設置し、このミストノズル１の周囲に複数の前記ＬＥＤライト２を前方に向けて設置している。【選択図】図２
2014142087.tif 000002
【特許請求の範囲】
【請求項１】
ミストノズル（１）から噴霧されるミストに、ＬＥＤライト（２）を照射するように構成していることを特徴とするミスト噴霧装置。
【請求項２】
本体（３）の前面に形成した開口の中央に前記ミストノズル（１）を前方に向けて設置し、このミストノズル（１）の周囲に複数の前記ＬＥＤライト（２）を前方に向けて設置していることを特徴とする請求項１記載のミスト噴霧装置。
【請求項３】
放射状に配して連結した多数本の水供給パイプ（１１）に、それぞれ複数個のミストノズル（１）を設け、これらミストノズル（１）を前方に向けた状態で前記水供給パイプ（１１）を、本体（１２）の前面に形成した開口に設置し、これら水供給パイプ（１１）の放射状の中心部には大容量のＬＥＤライト（２）を前方に向けて設置し、これら水供給パイプ（１１）のそれぞれの側部には小容量の複数のＬＥＤライト（２）を前方に向けて連設していることを特徴とする請求項１記載のミスト噴霧装置。
【発明の詳細な説明】
【技術分野】
【０００１】
本発明は、住宅の部屋、温室、ビニールハウス、公民館、美術館、体育館などの閉鎖された空間、建築工事現場、屋外のイベント会場などの開放された空間において使用されるミスト噴霧装置に関するものである。
【背景技術】
【０００２】
従来、この種のミスト噴霧装置としては、例えば図９、１０に示すようなものが存在する。このミスト噴霧装置は、扇風機２１、電源２２、水タンク２３、コンプレッサー２４、およびこのコンプレッサー２４から延出する送水ホース２５に継ぎ手２６を介して接続され、扇風機ファン２７の正面側に適宜の手段で固定されたノズル２８付きの金属製導管２９からなるものとしている（特許文献１）。
【０００３】
また、この種のミスト噴霧装置としては、例えば図１１に示すようなものが存在する。このミスト噴霧装置は、送風扇３１を備えている送風扇枠３２の前面に、送風扇３１の羽根径に見合ったサイズで、複数個の噴出口３３を有するリング状の送液管３４を設置し、この送液管３４に設けられている液体供給口３５から所定の圧力をかけた水を供給すると共に、送風扇３１を回転させることにより、その風圧で、噴出口３３から噴霧されてミスト状となった水を温室などの大空間内に拡散させ、このミストの気化潜熱により、温室などの空間内を冷房するものとしている（特許文献２）。
【０００４】
さらに、この種のミスト噴霧装置としては、本発明者が以前に出願した例えば図１２に示すようなものが存在する。このミスト噴霧装置は、一側面に開口４１ａを形成した略直方体形状の箱状本体４１の内部にシロッコファン４２を設置し、この箱状本体４１の開口４１ａの前方にミストノズル４３を設置し、前記箱状本体４１のいずれかの面に前記シロッコファン４２の大気取り入れ口４４を形成したものとしている。そして、前記箱状本体４１は、車台４５に伸縮自在として立設したパイプなどの支持体４６の上端部に回動自在および傾動自在として支持されている。また、前記ミストノズル４３は、箱状本体４１の開口４１ａの前方に横方向に複数個、並列させたものとしている（特許文献３）。
【先行技術文献】
【特許文献】
【０００５】
【特許文献１】意匠登録第１３００３３６号公報
【特許文献２】実用新案登録第３０６８５２５号公報
【特許文献３】特開２００９−２９９９９５号公報
【発明の概要】
【発明が解決しようとする課題】
【０００６】
上記従来のミスト噴霧装置は、扇風機ファン２７や送風扇３１、シロッコファン４２の風圧により、大空間内にミストを広い範囲にわたって拡散させることができるものとなっている。
【０００７】
さらに、上記本発明者が出願した従来のミスト噴霧装置は、大空間内の特定方向にミストを集中して拡散させたり、大空間内の遠くまでミストを拡散させることができ、大空間の特定の場所を効果的に冷房することができるものとなっている。
【０００８】
しかしながら、上記従来のミスト噴霧装置や本発明者が出願した従来のミスト噴霧装置では、発生させたミストを目視することが困難であり、ミストの発生状態が視覚で確認することができないため、実際に多量のミストが発生していても使用感に頼りなさを感じるという課題を有していた。
【０００９】
さらに、上記従来のミスト噴霧装置や本発明者が出願した従来のミスト噴霧装置では、部屋等においてインテリアとして使用されることは考えられておらず、また美術館やイベント会場等において演出効果を発揮させる装置として使用することも考えられておらず、多様性に乏しいという課題を有していた。
【００１０】
そこで、本発明は、上記従来の問題点を解決することを目的としており、使用感に頼りなさを感じることがなく、インテリアとしても使用することができたり、演出効果を発揮させる装置としても使用することができるミスト噴霧装置を提供することを目的としてなされたものである。
【課題を解決するための手段】
【００１１】
そのため、本発明のミスト噴霧装置は、ミストノズル１から噴霧されるミストに、ＬＥＤライト２を照射するように構成している。
【００１２】
さらに、本発明のミスト噴霧装置は、本体３の前面に形成した開口の中央に前記ミストノズル１を前方に向けて設置し、このミストノズル１の周囲に複数の前記ＬＥＤライト２を前方に向けて設置している。
【００１３】
また、本発明のミスト噴霧装置は、放射状に配して連結した多数本の水供給パイプ１１に、それぞれ複数個のミストノズル１を設け、これらミストノズル１を前方に向けた状態で前記水供給パイプ１１を、本体１２の前面に形成した開口に設置し、これら水供給パイプ１１の放射状の中心部には大容量のＬＥＤライト２を前方に向けて設置し、これら水供給パイプ１１のそれぞれの側部には小容量の複数のＬＥＤライト２を前方に向けて連設している。
【発明の効果】
【００１４】
本発明のミスト噴霧装置は、以上に述べたような構成としているので、使用感に頼りなさを感じることがなく、インテリアとしても使用することができたり、演出効果を発揮させる装置としても使用することができるものとなり、多様性に富むものとなった。
【図面の簡単な説明】
【００１５】
【図１】本発明のミスト噴霧装置の一実施形態を示す斜視図である。
【図２】図１に示す本発明のミスト噴霧装置の内部構成を示す一部切欠き斜視図である。
【図３】図１に示す本発明のミスト噴霧装置の縦断面図である。
【図４】本発明のミスト噴霧装置の他実施形態を示す正面図である。
【図５】図４に示す本発明のミスト噴霧装置の側面図である。
【図６】図４に示す本発明のミスト噴霧装置の縦断面図である。
【図７】本発明のミスト噴霧装置に設置する水供給パイプの斜視図である。
【図８】図７に示す水供給パイプの断面図である。
【図９】従来のミスト噴霧装置の一例の概略を示す正面図である。
【図１０】図９に示す従来のミスト噴霧装置の側面図である。
【図１１】従来のミスト噴霧装置の他の例を示す正面図である。
【図１２】従来のミスト噴霧装置のさらに他の例を示す斜視図である。
【発明を実施するための形態】
【００１６】
以下、本発明のミスト噴霧装置を実施するための形態を、図面に基づいて詳細に説明する。
【００１７】
本発明のミスト噴霧装置は、図１〜３に示したように小型のミスト噴霧装置としたり、図４〜８に示したように大型のミスト噴霧装置として実施することができる。
【００１８】
本発明のミスト噴霧装置は、ミストノズル１から噴霧されるミストに、ＬＥＤライト２を照射するように構成している。本発明において、ＬＥＤライト２による照射は、通常の電球に比べて方向性がある（照射角度が小さい）ので、遠くまで照射することができ、遠くまで噴霧されたミストにも照射することができる。
【００１９】
図１〜３に示した小型のミスト噴霧装置では、略直方体の箱状の本体３の前面上部に形成した開口の中央に前記ミストノズル１を前方に向けて設置し、このミストノズル１の周囲に複数の前記ＬＥＤライト２を前方に向けて設置し、これらＬＥＤライト２の周囲の開口を送風口４とし、前記本体の後面上部に空気取入口５を設けている。
【００２０】
ＬＥＤライト２は、ミストノズル１の周囲に放射状に６〜１２個程度、設置するのが好ましく、前方向に角度をもたせて照射するようにしたり、発光色が色々異なるものとしたり、点滅したりするものなどとすることができる。なお、前記ＬＥＤライト２は、図示したものでは、透光性のカバーＣｏで覆われたものとしているが、透光性のカバーＣｏで覆うことなく露出させておいてもよい。
【００２１】
さらに、本体３の内部には、ミストノズル１の後方にシロッコファン６を設置し、このシロッコファン６の下方にコンプレッサー７を設置し、このコンプレッサー７の後方に水タンク８を設置し、前記ミストノズル１にエア−ホース９を介してコンプレッサー７から圧縮空気を供給すると共に、前記ミストノズル１に水ホース１０を介して水タンク８から水を供給するようにしている。
【００２２】
また、本体１の前面下部には、ＬＥＤライト２、シロッコファン６やコンプレッサー７の作動用のボタンＢや電圧、風量、水量などの調節用のボタンＢが取り付けられており、これらボタンＢの上方には、電源のＯＮ、ＯＦＦを表示したり、風量、水量などを表示する液晶パネルＰが取り付けられている。
【００２３】
なお、図示したものは、ＬＥＤライト２、シロッコファン６、コンプレッサー７などへの電気配線は省略しているが、適宜の電気配線がされているのはいうまでない。
【００２４】
図４〜７に示した大型のミスト噴霧装置では、放射状に配して連結した多数本の水供給パイプ１１に、それぞれ複数個のミストノズル１を設け、これらミストノズル１を前方に向けた状態で前記水供給パイプ１１を、略円筒状の本体１２の前面に形成した開口に設置し、これら水供給パイプ１１の放射状の中心部には大容量のＬＥＤライト２を前方に向けて設置し、これら水供給パイプ１１のそれぞれの側部には小容量の複数のＬＥＤライト２を前方に向けて連設し、前記水供給パイプ１１で区切られた開口を送風口１３とし、前記本体１２の後面の全体を空気取入口１４としている。なお、前記送風口１３や空気取入口１４には、危険防止などのためにネット１５を張設したものとすることができる。
【００２５】
ＬＥＤライト２は、大容量のものは５０〜１００Ｗ程度のものにすることができ、近くから遠くまで拡散したミストを照射できるものとし、場合によっては発光色を切り替え可能なものとすることもでき、小容量のものは１〜１０Ｗ程度のものにすることができ、それぞれの水供給パイプ１１に５〜１０個程度、設置するのが好ましく、前方向に角度をもたせて照射するようにしたり、発光色の異なるものとしたり、点滅したりするものとすることができる。
【００２６】
さらに、本体１２の内部には、前記ミストノズル１の後方にモーター１６を設置し、このモーター１６に送風扇１７を取り付け、本体１２の外部には、コンプレッサー１８を設置し、このコンプレッサー１８で水道栓等から供給される水を圧縮して、前記ミストノズル１に水ホース１９を介してこの圧縮した水を供給するようにしている。また、前記本体１２は、角度調節機構Ａを備えて支持台Ｓに支持されており、この角度調節機構Ａによって、角度を自由に調節できるようにすると共に、支持台Ｓの底部に取り付けられたキャスターＣにより、移動可能としている。
【００２７】
なお、図示したものは、ＬＥＤライト２、モーター１６、コンプレッサー１８などへの電気配線は省略しているが、適宜の電気配線がされているのはいうまでない。
【００２８】
以上のように構成された本発明のミスト噴霧装置は、小型のものでは例えば住宅の部屋等において、大型のものでは例えば建築工事現場、屋外のイベント会場等において、次のようにして使用される。
【００２９】
先ず、小型のミスト噴霧装置では、部屋の片隅などに置き、作動用のボタンＢを押せば、ミストノズル１からミストが噴霧されるとともに、シロッコファン６によって本体３の送風口４から吹き出されると共に、その吹き出されたミストにＬＥＤライト２が照射される。すると、ミストの発生状態が視覚で確認することができ、ミストの発生を実感することができ、使用感に頼りなさを感じることはない。
【００３０】
さらに、前記小型のミスト噴霧装置では、ミストノズル１の噴霧量、シロッコファン６の風量、ＬＥＤライト２の電圧などを調節用のボタンＢによって調節することによって、ミストの発生状態や照射状態が変化することになり、ミストが空中で色々に変化する模様として現れるので、インテリアとして使用することもできる。
【００３１】
また、大型のミスト噴霧装置では、建築工事現場、屋外のイベント会場に運搬し、キャスターＣにより移動させて、建設工事やイベントの邪魔にならない位置に設置する。そして、角度調節機構Ａによって本体１２の角度を調節し、実際に工事をしている場所や、ステージの方向などの特定方向にミストを集中して噴霧させる。この場合も、大容量のＬＥＤライト２や小容量のＬＥＤライト２が、その噴霧されたミストに照射されるので、ミストの発生状態が視覚で確認することができ、ミストの発生を実感することができる。
【００３２】
さらに、前記大型のミスト噴霧装置では、大容量のＬＥＤライト２は遠くまで照射することができるので、ミストが遠方まで噴霧されているかどうかの確認が簡単にでき、建築工事現場などにおいては、噴霧されたミストにより効率良く粉塵の発生を抑制したり、夏場などにおいては効果的に冷房することができる。そして、小容量のＬＥＤライト２は近くしか照射することができないが、発光色を色々と異なるものとしたり、点滅させたりすれば、特にイベント会場等においては演出効果を発揮することができる。
【符号の説明】
【００３３】
１  ミストノズル
２  ＬＥＤライト
３  本体
１１  水供給パイプ
１２  本体
【図１】
2014142087.tif 000003
【図２】
2014142087.tif 000004
【図３】
2014142087.tif 000005
【図４】
2014142087.tif 000006
【図５】
2014142087.tif 000007
【図６】
2014142087.tif 000008
【図７】
2014142087.tif 000009
【図８】
2014142087.tif 000010
【図９】
2014142087.tif 000011
【図１０】
2014142087.tif 000012
【図１１】
2014142087.tif 000013
【図１２】
2014142087.tif 000014